(57)【要約】【課題】ルーバー取付部材を固定するボス部にかかる応力を軽減させ、脱落に対し安全性の高いルーバーを提供することを目的とする。【解決手段】換気装置１３の下部に取り付けられるルーバー１において、換気装置１３に係合するバネ７と、バネ７が固定されるルーバー取付金具５と、後面側に突出し内部に空洞部を有したボス部２と、ルーバー取付金具５を後面側からボス部２にネジ４により固定するために前記空洞部に遊嵌した状態で設けられるナット３とを備えることにより、ボス部にかかる応力を著しく減少することができるルーバーが得られる。【選択図】図１
2006084045.tif 000002
【特許請求の範囲】
【請求項１】
内部に通風路を有する通風機器の下部に取り付けられるルーバーであって、前記通風機器に係合するルーバー取付部材と、後面側に突出し内部に空洞部を有したボス部と、前記ルーバー取付部材を後面側から前記ボス部にネジにより固定するために前記空洞部に遊嵌した状態で設けられるナットと、を備えることを特徴とするルーバー。
【請求項２】
前記ナットはその外径寸法よりも軸方向の長さ寸法が大きいことを特徴とする請求項１に記載のルーバー。
【請求項３】
前記空洞部は前記ルーバーの前面側が開口され、前記ルーバーの前面側にこの開口を下方から覆う化粧パネルを設けたことを特徴とする請求項１または２に記載のルーバー。
【請求項４】
前記ルーバーの前面側を覆って固定した化粧パネルの後面から突出し、端部に爪部を有したリブを設け、前記爪部を前記ルーバーの後面側に突出させ、前記ルーバー取付部材を前記爪部と前記ルーバーの後面との間に介在させたことを特徴とする請求項１に記載のルーバー。
【請求項５】
前記リブはルーバー取付部材についてその一方側と他方側の両方に設けたことを特徴とする請求項４に記載のルーバー。
【請求項６】
前記ルーバー取付部材を前記リブとで挟む位置に前記ルーバー取付部材の移動を規制する規制部を設けたことを特徴とする請求項４または５に記載のルーバー。
【請求項７】
前記爪部を互いに向かい合う方向に形成することを特徴とする請求項５に記載のルーバー。
【請求項８】
化粧パネルをルーバーに固定する化粧パネル取付用爪を設けたことを特徴とする請求項３〜７のいずれかに記載のルーバー。
【請求項９】
前記爪部とルーバー取付部材の間に介在させた補助金具を備えたことを特徴とする請求項４〜８のいずれかに記載のルーバー。
【請求項１０】
請求項１〜９のいずれかに記載のルーバーと、側面にダクトと連通する開口部を有し、前記開口部と連通する開口端に前記ルーバーが取り付けられる本体とを備えたことを特徴とする換気装置。
【発明の詳細な説明】
【技術分野】
【０００１】
本発明は、天井等に設置される空調機器や換気装置に取り付けられるルーバーに関する。
【背景技術】
【０００２】
従来、この種のルーバーとしては、ルーバー取付金具をルーバーと一体成形されたボス部にネジで固定するものが知られている(例えば、特許文献１参照)。
【０００３】
以下にその構成を説明する。図７に示すルーバーは、ネジ挿入孔１０４を両端に有し、換気装置本体に取り付けるためのバネ１０５を固定したルーバー取付金具１０６を、ルーバー本体１０１の後面側に一体成形されたボス部１０２に、ネジ１０３を螺合することにより、ルーバー本体１０１を換気装置本体に取り付ける構成である。
【特許文献１】特開２００３−６５５９２号公報
【発明の開示】
【発明が解決しようとする課題】
【０００４】
しかしながら、上記従来のルーバーにおいては、換気装置本体にルーバー取付金具１０６を介してルーバー本体１０１を取り付け、ルーバー取付金具１０６はルーバー本体１０１に一体成形されたボス部１０２自体に螺合するネジ１０３により固定されているため、ネジ１０３の過剰な締め付けなどによりボス部１０２に応力がかかることになり、万一、過大な応力がかかった場合にはボス部１０２の割れ等が生じるという課題があった。
【０００５】
本発明は上記従来の課題を解決するものであり、万一、ボス部の割れ等が生じた場合でも、ルーバー本体の脱落を防止するルーバーを提供することを目的としている。
【課題を解決するための手段】
【０００６】
従来の課題を解決するためのルーバーは、内部に通風路を有する通風機器が設置された状態において前記通風機器の下部に取り付けられるルーバーであって、前記通風機器に係合するルーバー取付部材と、後面側に突出し内部に空洞部を有したボス部と、前記ルーバー取付部材を後面側から前記ボス部にネジにより固定するために前記空洞部に遊嵌した状態で設けられるナットとを備えることを特徴とする。
【０００７】
また他の手段は、前記ナットはその外径寸法よりも軸方向の長さ寸法が大きいことを特徴とする。
【０００８】
また他の手段は、前記空洞部は前記ルーバーの前面側が開口され、前記ルーバーの前面側にこの開口を下方から覆う化粧パネルを設けたことを特徴とする。
【０００９】
また他の手段は、前記ルーバーの前面側を覆って固定した化粧パネルの後面から突出し、端部に爪部を有したリブを設け、前記爪部を前記ルーバーの後面側に突出させ、前記ルーバー取付部材を前記爪部と前記ルーバーの後面との間に介在させたことを特徴とする。
【００１０】
また他の手段は、前記リブはルーバー取付部材についてその一方側と他方側の両方に設けたことを特徴とする。
【００１１】
また他の手段は、前記ルーバー取付部材を前記リブとで挟む位置に前記ルーバー取付部材の移動を規制する規制部を設けたことを特徴とする。
【００１２】
また他の手段は、前記爪部を互いに向かい合う方向に形成することを特徴とする。
【００１３】
また他の手段は、化粧パネルをルーバーに固定する化粧パネル取付用爪を設けたことを特徴とする。
【００１４】
また他の手段は、前記爪部とルーバー取付部材の間に介在させた補助金具を備えたことを特徴とする。
【００１５】
また、従来の課題を解決するための換気装置は、前記手段のいずれかのルーバーと、側面にダクトと連通する開口部を有し、前記開口部と連通する開口端に前記ルーバーが取り付けられる本体とを備えたことを特徴とする。
【発明の効果】
【００１６】
本発明によれば、ルーバーに設けられたボス部に、ルーバー取付部材を固定するネジによる応力がほとんどかからないため、ボス部の割れ等の発生を減少させ、ルーバーの脱落を防止したルーバーおよびこれを備えた換気装置を提供することができる。
【発明を実施するための最良の形態】
【００１７】
本発明の請求項１記載のルーバーは、前記通風機器に係合するルーバー取付部材と、後面側に突出し内部に空洞部を有したボス部と、前記ルーバー取付部材を後面側から前記ボス部にネジにより固定するために前記空洞部に遊嵌した状態で設けられるナットとを備えることを特徴とするものであり、ナットを空洞部に遊嵌状態で保持しているので、ナットとボス部の内周部との接触面積が小さいため、ネジを螺合するときの回転力によるナットがボス部に与える応力が軽減されることにより、ボス部の割れ等が発生しにくくなり、ルーバー本体が脱落することを防止することができる。
【００１８】
請求項２に記載の発明は、請求項１に記載のルーバーにおいて、前記ナットはその外径寸法よりも軸方向の長さ寸法が大きいことを特徴とするものであり、ナットを軸方向に細長い形状に形成することにより、ナットを空洞部に挿入する組み立て作業を行う場合には、ナットが空洞部内でボス部の軸方向に対して大きく傾いてしまいネジによる締め付け固定が確実に行えなくなることが防止できる。
【００１９】
請求項３に記載の発明は、請求項１または２に記載のルーバーにおいて、前記空洞部は前記ルーバーの前面側が開口され、前記ルーバーの前面側にこの開口を下方から覆う化粧パネルを設けたことを特徴とするものであり、化粧パネルが空洞部に蓋をする働きを持ち、ナットを適正な位置に保持するとともに、ルーバー全体を樹脂で形成したときのルーバーのそりや、空洞部およびナットを覆い隠し、意匠の向上を図ることができる。
【００２０】
請求項４に記載の発明は、請求項１に記載のルーバーにおいて、前記ルーバーの前面側を覆って固定した化粧パネルの後面から突出し、端部に爪部を有したリブを設け、前記爪部を前記ルーバーの後面側に突出させ、前記ルーバー取付部材を前記爪部と前記ルーバーの後面との間に介在させたことを特徴とするものであり、ボス部が割れ等によりルーバー取付部材を固定する機能を失った場合や、化粧パネルが何らかの原因でルーバー本体から脱落した場合でも、前記リブに形成した爪部がルーバー取付部材を懸垂状態で保持し、化粧パネルは即座には脱落することがなくなる。
【００２１】
請求項５に記載の発明は、請求項４に記載のルーバーにおいて、前記リブはルーバー取付部材についてその一方側と他方側の両方に設けたことを特徴とするものであり、ルーバー取付部材がルーバーから脱落するような事態が起こった場合には、ルーバーが著しく傾いて保持されるのを防ぎ、ルーバー取付部材をより安定して保持することが可能となり、落下の可能性を軽減することができる。
【００２２】
請求項６に記載の発明は、請求項４または５に記載のルーバーにおいて、前記ルーバー取付部材を前記リブとで挟む位置に前記ルーバー取付部材の移動を規制する規制部を設けたことを特徴とするものであり、ボス部が割れ等によりルーバー取付部材を固定する機能を失った場合や、化粧パネルが何らかの原因でルーバー本体から脱落した場合でも、前記リブに形成した爪部がルーバー取付部材を懸垂状態で保持し、その状態からルーバー取付部材が横方向に動くのを阻止することにより、化粧パネルおよびルーバー本体が落下するのを防止することができる。
【００２３】
請求項７に記載の発明は、請求項５に記載のルーバーにおいて、前記爪部を互いに向かい合う方向に形成することを特徴とするものであり、ルーバー本体のボス部が割れ等によりルーバー取付部材を固定する機能を失った場合に、爪部がルーバー取付部材を両側から抱きかかえる状態になるので、爪部がルーバー取付部材を懸垂状態に保持する機能を確実に発揮させることができる。
【００２４】
請求項８に記載の発明は、請求項３〜７のいずれかに記載のルーバーにおいて、化粧パネルをルーバーに固定する化粧パネル取付用爪を設けたことを特徴とするものであり、ネジ等を使用して固定する方法と比較して部品点数およびコストが減少し、化粧パネルをルーバー本体にネジで固定するためのボスを設ける必要がなくなるので、化粧パネルの前面に成形によるひけ等が出にくいため意匠性の向上を図ることができる。
【００２５】
請求項９に記載の発明は、請求項４〜８のいずれかに記載のルーバーにおいて、前記爪部とルーバー取付部材の間に介在させた補助金具を備えたことを特徴とするものであり、ボス部が割れ等によりルーバー取付部材を固定する機能を失った場合や、化粧パネルが何らかの原因でルーバー本体から脱落した場合でも、ルーバー取付部材を懸垂状態で保持する爪部にかかる力を補助金具に分散させることができ、ルーバー本体を支える爪部にかかる荷重を軽減させ、ルーバー本体の落下を防止することができる。
【００２６】
請求項１０に記載の換気装置は、請求項１〜９のいずれかに記載のルーバーと、側面にダクトと連通する開口部を有し、前記開口部と連通する開口端に前記ルーバーが取り付けられる本体とを備えたことを特徴とするものであり、ナットを空洞部に遊嵌した状態で保持しているので、ナットとボス部の内周部との接触面積が小さいため、ネジを螺合するときの回転力によるナットがボス部に与える応力が軽減されることにより、ボス部の割れ等が発生しにくくなり、ルーバー本体が落下することを防止した換気装置が得られる。
【００２７】
（実施の形態１）
以下、本発明の実施の形態について図１〜図６を参照しながら説明する。
【００２８】
本発明に記載のルーバーについて、天井埋込式換気装置の下部に設けた開口に取り付けられるルーバーを例にして説明する。
【００２９】
図１〜図５に示すように、下部に吸込口または吹出口を有し、この開口が内部に形成される通風路と連通し送風機を介して、側面に設けられたアダプター１６と連通する構成をなす通風機器としての換気装置１３に、室内に臨む位置でルーバー１が取り付けられている。換気装置１３は、埋め込み口１９が形成された天井板１２の裏側にその本体を収める形で固定され、天井壁１８にアンカーボルトなどで固定された吊りバンド２０で保持されたダクト１５をアダプター１６に接続することにより屋外１４に通じている。
【００３０】
ルーバー１を換気装置１３の本体に取り付けるときは、居室内から見える換気装置１３に設けた係合孔２１にルーバー１に固定されたバネ７の幅を手で縮小させた状態で係合させ、換気装置１３の下部の開口を覆い隠すようにルーバー１を換気装置１３に近づけて手によりバネ７の幅を狭める方向に働かせた外力を解除すると、ルーバー１が換気装置１３の本体にバネ７の開き勝手の弾性力により取り付けられることになる。
【００３１】
図１および図３に示すように、換気装置１３の下部に取り付けられるルーバー取付部材は、外方に開く付勢力を備えた二股状のバネ７と細長状のルーバー取付金具５から構成され、ルーバー取付部材はルーバー１の後面側に突出するボス部２の端部に載置された状態でネジ４によりバネ７とともに固定されている。ルーバー取付金具５は、その両端部にネジ４のネジ部が貫通する孔が形成されているが、ルーバー取付金具５がボス部２に固定されてバネ７を介してルーバー１が換気装置１３に取付固定できるものであれば、その個数は特に限定されるものではなく、また、ルーバー取付金具５の中央部にネジ４のネジ部が貫通する孔が形成されている構成でもよい。
【００３２】
ボス部２の内部には空洞部が形成され、この空洞部はボス部２の端部に形成された開口と通じており、空洞部にはネジ４と螺合されるナット３が遊嵌された状態で収納されている。空洞部に遊嵌した状態で収納されたナット３というのは、ナット３がボス部２の軸方向に自由に移動可能であるが、ボス部２の周方向にはその動きが規制される構成であり、ナット３の半径方向の外形と、ボス部２の内周面との間に隙間が形成される構成となっている。ナット３の外形は六角形または四角形、その他の多角形で構成されており、ボス部２の内周形状は、ナット３の外形より若干大きい大きさの多角形形状で形成されている。また、ナット３の軸方向の長さ寸法は、その半径方向の外形寸法よりも大きく、ナット３は軸方向に細長の形状である。ナット３に係る寸法の詳細の一例としては、軸方向長さが１２．５ｍｍ、半径方向の外形寸法の最大値（最も離れた頂点間の距離）が８ｍｍ、外形寸法の最小値が７ｍｍでＭ４のネジ部を備えており、ナット３とボス部２の内周面との隙間は、最大で１ｍｍ、最小で０．５ｍｍである。
【００３３】
このように、ナット３を空洞部内で遊嵌した状態で収納していることにより、ルーバー取付部材をボス部２に固定するときにネジ４をナット３に螺合する締め付けを行う際、ナット３の外周部がボス部２の内周面に接触することにより、ナット３の周方向の回転が規制されるとともに、回転力が働くナット３の外周部分とボス部２の内周面との接触面積が小さくなるので、ネジ４を締め付ける回転トルクがボス部２の内周面に伝わるのを軽減することができる。このため、ネジ締め時のボス部２の割れなどの破損を防止でき、また、経年変化等によるボス部２の劣化を遅らせることにもなり、万一のルーバーの脱落を防止することができる。
【００３４】
空洞部のルーバー１前面側は、ナット３が挿入できるように開口されており、ナット３を空洞部に挿入したあと、キャップなど小さな目立ちにくい蓋をかぶせてナット３がボス部２の軸方向に抜け落ちないようにしている。図１および図２に示すように、ルーバー１の前面側を覆うように化粧パネル６を取り付ける場合には、化粧パネルの後面１１から突出する化粧パネル取付爪９によりルーバー１の後面側を係止して、化粧パネル６をルーバー１の前面に固定する。このとき、ナット３を挿入するための空洞部に通じる開口は、キャップなどの蓋の代わりに化粧パネル６で塞ぐこととなり、ルーバー１全体としての美観性をさらに向上することとなる。
【００３５】
ルーバー１の前面側に化粧パネル取付爪９により固定される化粧パネル６には、その後面１１から突出し、端部が化粧パネル６の後面１１とほぼ平行になるように形成された爪部２４が備えたリブ８が設けられている。リブ８は、化粧パネル６をルーバー１に装着する際に、ルーバー１の前面側からルーバー１の前面に開口されたリブ貫通孔１０に挿入され、ルーバー１の後面側に突出する。そして、図２および図３に示すように、ルーバー取付部材を構成するルーバー取付金具５をルーバー１の後面と爪部２４との間に介在させて挟むような位置関係で構成される。
【００３６】
このように、ルーバー１の後面と爪部２４との間にルーバー取付金具５を介在させて挟む構成とすることにより、万一、ボス部２に割れ等が発生し、ルーバー取付金具５の固定機能を失ったとしても、化粧パネル６に設けたリブ８の爪部２４がルーバー取付金具５に対して懸垂する状態となり、ルーバー１を保持する機能を果たし、ルーバー１の脱落を防止することができる。
【００３７】
また、リブ８をルーバー取付部材を構成するルーバー取付金具５の一方側と他方側の両方に離して設ける場合には、爪部２４によるルーバー取付金具５を保持する機能がさらに向上することになる。
【００３８】
また、図１および図２に示すように、ルーバー取付金具５に対してリブ８を一対設け、リブ８の端部に設けた爪部２４を互いに向かい合う方向に突出して形成した場合には、爪部２４がルーバー取付金具５を両側から抱きかかえる状態になるので、爪部２４がルーバー取付金具５を懸垂状態に保持する機能を確実に発揮させることができる。
【００３９】
また、ルーバー取付金具５をリブ８とで挟む位置のルーバー１の後面に、ルーバー取付金具５の移動を規制する規制部２２を構成している。規制部２２はルーバー１の後面の一部を切り起こして形成しても良いし、別の部品としてルーバー１の後面に固定したもので構成しても良い。このような規制部２２を備えることにより、万一、ボス部２が破損するような事態が起こりルーバー１が脱落しても、ルーバー取付部材の横方向の移動を抑えられるので、ルーバー取付部材を保持する機能をさらに向上させることができる。また、規制部２２が可撓性を有する場合には、ルーバー取付金具５をリブ８と規制部２２との間にセットするときに規制部２２が撓むので、ルーバー取付金具５を横方向に滑らすことができるため作業性が向上することになる。
【００４０】
爪部２４とルーバー取付部材を構成するルーバー取付金具５の間に補助金具２３を介在させ、補助金具２３により爪部２４を補強する構成とする。補助金具２３は、リブ８の内側を沿うような形状で略コの字状に形成するのが望ましい。このような補助金具２３を備えることにより、化粧パネル６が何らかの原因でルーバー１から脱落した場合や、ボス部２が破損した場合でも、ルーバー取付金具５を懸垂状態で保持する爪部２４にかかる力を補助金具２３に分散させることができる。
【００４１】
なお、本発明のルーバーを取り付ける換気装置は、その内部に送風機を有するものだけでなく、強制的送風機能を有さないいわゆる換気ボックスのようなものも含んでおり、万一のルーバーの落下を防止する効果に差異はない。
【００４２】
また、本発明のルーバー取付部材は金属製に限定するものではなく、ルーバーの重量を支持し得る強度を有した素材または形状であれば、例えば、樹脂製でも本発明のルーバー取付部材の範囲に含むものである。
【００４３】
また、本発明のルーバーについても、ボス部が過度の応力や劣化などにより破損する可能性のあるものであれば、樹脂品に限定するものでない。
【産業上の利用可能性】
【００４４】
本発明のルーバーは、高所に取り付けられる空調機器や換気装置の開口部を形成する構成部品の他、天井面に設けられるグリルや点検蓋に適用することもできる。
【図面の簡単な説明】
【００４５】
【図１】本発明の実施の形態１におけるルーバーの構成を示す分解斜視図
【図２】同ルーバーに化粧パネルを取り付けた状態を示す斜視図
【図３】同ルーバーにおけるボス部内の構成を示す部分断面図
【図４】同ルーバーにおけるリブとルーバー取付部材の関係を示す部分断面図
【図５】同ルーバーを備えた換気装置の施工状態を示す断面図
【図６】同ルーバーと換気装置本体の関係を示す斜視図
【図７】従来のルーバーの構成を示す分解斜視図
【符号の説明】
【００４６】
１    ルーバー
２    ボス部
３    ナット
４    ネジ
５    ルーバー取付金具
６    化粧パネル
８    リブ
９    化粧パネル取付爪
１３  換気装置
２２  規制部
２３  補助金具
２４  爪部
【図１】
2006084045.tif 000003
【図２】
2006084045.tif 000004
【図３】
2006084045.tif 000005
【図４】
2006084045.tif 000006
【図５】
2006084045.tif 000007
【図６】
2006084045.tif 000008
【図７】
2006084045.tif 000009